【事件の表示】
　平成１１年特許願第１１４５３号「空気調和装置」拒絶査定不服審判事件〔平成１２年８月２日出願公開、特開２０００−２１３７６４号〕について、次のとおり審決する。
【結　論】
　本件審判の請求は、成り立たない。
【理　由】
第１　手続の経緯  
　本願は、平成１１年１月２０日の出願であって、平成２０年９月２２日付け（発送日：同年９月３０日）で拒絶査定がなされ、これに対し、同年１０月３０日に拒絶査定不服審判の請求がなされるとともに、同年１２月１日付けで手続補正がなされたものである。  
　  
第２　平成２０年１２月１日付けの手続補正についての補正却下の決定  
［補正却下の決定の結論］  
　平成２０年１２月１日付けの手続補正（以下、「本件補正」という。）を却下する。  
　  
［理由］  
１．補正後の本願発明
　本件補正により、特許請求の範囲の請求項１は、次のように補正された。
「吸込口から吹出口に至る風路に設けられ伝熱管を流れる冷媒と室内空気との間で熱交換を行う前面側熱交換器と背面側熱交換器とからなる室内側熱交換器と、前記風路内に空気流を発生させるファンと、前記風路内の前記前面側熱交換器上流にて圧力損失抵抗となる着脱可能な構成の抵抗体とを備え、前記抵抗体を通過した空気が流入する前記前面側熱交換器風上側のみに冷房運転時の冷媒の流れ方向における伝熱管入口を配置
するとともに、前記前面側熱交換器の伝熱管は途中複数方向に冷媒を分流する配管とし、前記伝熱管入口から冷媒を分流するまでの伝熱管を前記抵抗体を通過した空気が流入する前記前面側熱交換器風上側に配管し、前記抵抗体を通過しない空気が流入する前記熱交換器部分にて冷媒を分流する
　 
２．補正の目的 
　上記補正は、補正前の請求項１に記載した発明を特定するために必要な事項である「前面側熱交換器の伝熱管」について、「前記前面側熱交換器の伝熱管は途中複数方向に冷媒を分流する配管とし、前記伝熱管入口から冷媒を分流するまでの伝熱管を前記抵抗体を通過した空気が流入する前記前面側熱交換器風上側に配管し、前記抵抗体を通過しない空気が流入する前記熱交換器部分にて冷媒を分流する」と限定したものであり、かつ、補正前の請求項１に記載された発明と補正後の請求項１に記載される発明の産業上の利用分野及び解決しようとする課題が同一であるので、本件補正は、平成１８年法律第５５号改正附則第３条第１項によりなお従前の例によるとされる同法による改正前の特許法（以下、「改正前の特許法」という。）第１７条の２第４項第２号の特許請求の範囲の減縮を目的とするものに該当する。
　
　そこで、本件補正後の前記請求項１に記載された発明（以下、「本願補正発明」という。）が特許出願の際独立して特許を受けることができるものであるか（改正前の特許法第１７条の２第５項において準用する同法第１２６条第５項の規定に適合するか。）について以下に検討する。
  
３．引用例の記載事項
　原査定の拒絶の理由に引用された、特開平８−４９９１３号公報（以下、「引用例」という。）には、図面と共に次の事項が記載されている。
　
ア　「【産業上の利用分野】本発明は、特に、逆Ｖ字状に形成される熱交換器を備え、たとえば室内ユニットを構成する空気調和機に関する。」（段落【０００１】）
イ　「【実施例】以下、本発明の一実施例を、図面を参照して説明する。図１に示すように、空気調和機の室内ユニットが構成される。
空気調和機本体であるユニット本体１０は、前面パネル１１と後板１２とから構成される。上記前面パネル１１の前面側と、上面側に吸込口１３ａ，１３ｂが開口され、
　
ユニット本体１０内には、各吸込口１３ａ，１３ｂに亘って対向する、後述する逆Ｖ字状に形成される熱交換器１５と、この逆Ｖ字状熱交換器１５の内部位置、すなわちこの熱交換器に覆われるようにして室内送風機を構成する送風ファンである横流ファン１６が配置される
ウ　「
熱交換器１５は
複数本の熱交換パイプ２１…を備える
エ　「放熱フィン２０と端板にそれぞれ設けられる取付け用孔に、左右２列に並べた状態で熱交換パイプ２１を貫通し拡管してから、最上部の切り込み部２２から上方部位を時計回り方向に折り曲げ付勢し、かつこれより下部の切り込み部２３…を内側に所定角度づつ多段に折り曲げて、図に示すような形状、すなわち逆Ｖ字状の熱交換器１５を得る。
　このように
熱交換器１５は、
後面側熱交換器１５Ａと、
前面側熱交換器１５Ｂとからなる
　上記熱交換パイプ２１は直状部分が長いＵ字状に折り返し形成されていて、そのＵターン部２１ａは図において奥側（最左側端）の放熱フィン２０から突出し、直状部の開口端２１ｂは手前側（最右側端）の放熱フィン２０から突出する。
　この
熱交換パイプ２１の両開口端２１ｂ，２１ｂは
Ｕベンドおよびジャンプパイプによって接続される
前面側熱交換器は１５Ｂは
最上段部から最下段部に亘って、順次、符号ａないしｅを付す
前面側熱交換器１５Ｂの前部吸込み口１３ａ対向側に並べられる列が熱交換空気の導入側、すなわち風上側に相当するので風上列Ｕ
横流ファン１６と対向する側に並べられる列が熱交換空気導出側、すなわち風下側に相当するので風下列Ｄ
オ　「
冷房運転時に、外部から熱交換器１５に冷媒を導入する冷媒導入部２４は、前面側熱交換器１５Ｂの２段目部ｂの風上列Ｕに設定され
　この熱交換パイプ２１上部開口端と最上段部ａ風上列Ｕの熱交換パイプ下部開口端とは、Ｕベンド２５ａで連通される。すなわちＵベンド２５ａは、最上段部ａと２段目部ｂとの境をなす切り込み部２３を、風上列Ｕに沿って跨ぐ。
　
最上段部ａ風上列Ｕの熱交換パイプ２１上部開口端と、後面側熱交換器１５Ａ風上列Ｕ上部に位置する熱交換パイプ２１上部開口端とは、第１のジャンプパイプ２６で連通される
　この
熱交換パイプ２１の下部開口端には、分岐部を形成する３方ベンド２７の基端部２７ａが接続される。上記３方ベンド２７の一方の分岐端２７ｂは、後面側熱交換器１５Ａの中間部に位置する風下列Ｄの熱交換パイプ２１上部開口端に接続される
・・・上記熱交換パイプ２１上部開口端には、外部冷媒管Ｐｂが接続される。この接続部は、冷房運転時における第１の冷媒導出部２９となる。このように、上記分岐部である３方ベンド２７から各熱交換パイプ２１…と、Ｕベンド２５ｂないし２５ｅおよび第２のジャンプパイプ２８を介して冷媒を導き、第１の補助導入部３５ａから第１の冷媒導出部２９に至る第１の分岐流路３０が構成される。
　また、
上記３方ベンドの他方の分岐端２７ｃは、後面側熱交換器１５Ａにおける風下列Ｄの熱交換パイプ２１下部開口端に接続される
・・・上記熱交換パイプ２１上部開口端には、外部冷媒管Ｐｃが接続される。この接続部は、冷房運転時における第２の冷媒導出部３２となる。このように、上記分岐部である３方ベンド２７から各熱交換パイプ２１…とＵベンド２５ｆないし２５ｉおよび第３のジャンプパイプ３２を介して冷媒を導き、第２の補助導入部３５ｂから第２の冷媒導出部３２に至る第２の分岐流路３３が構成される。」（段落【００３６】〜【００５２】）
カ　「このようにして冷媒流路が設定される熱交換器１５を備え、たとえば冷房運転を行う。図示しない室外ユニットの圧縮機を駆動して冷凍サイクル運転をなし、室内ユニットの横流ファン１６を駆動する。上記圧縮機から吐出される高温高圧の冷媒は、熱交換器１５に導かれる。
　
熱交換空気は、吸込口１３ａ，１３ｂから導入されて熱交換器１５に導かれ、放熱フィン２０…相互の隙間を導通し、放熱フィン２０…と熱交換パイプ２１…に接してから吹出し口１８より被空調室に吹出される
　
冷媒は外部から熱交換器１５に導かれ、熱交換パイプ２１…を導通する間に蒸発潜熱を放出し、放熱フィン２０…に冷熱を伝導する。これら放熱フィン２０…間を熱交換空気が導通して熱交換をなす
　上記熱交換器１５における冷媒の流れをさらに詳述すると、
外部から冷媒導入部２４に導かれる冷媒は、はじめ前面側熱交換器１５Ｂの２段目部ｂ風上列Ｕから、この風上列Ｕに沿って最上段部ａへ上昇し、さらに第１のジャンプパイプ２６を介して後面側熱交換器１５Ａの風上列Ｕに導かれる
　ここから、
後面側熱交換器１５Ａに設けられた分岐部である３方ベンド２７に導かれ、第１の分岐流路３０と第２の分岐流路３３とに分流される
分岐部２７の設定部分における熱交換空気の風速が均一であるほど、より均等に冷媒を分流することは当然である
前面側熱交換器１５Ｂでは、この長手方向に沿い部分的に風速の強弱があり、ここに分岐部を設定すると、均等に冷媒を分流し難い
　これに対して
後面側熱交換器１５Ａは、上部吸込み口１３ｂからの熱交換空気の流れしか関係しないので、長手方向に沿って風速はほぼ均一であり
後面側熱交換器１５Ａに設ければ、冷媒を均等に分流することができる
キ　「さらに、分岐部２７から冷媒を分流案内する第１の分岐流路３０と、第２の分岐流路３３とは、それぞれ風上列Ｕに沿って導かれる距離と、風下列Ｄに沿って導かれる距離とがほとんど等しいように設定してある。
　すなわち、
第１，第２の分岐流路３０，３３は、互いに風上列Ｕと風下列Ｄの割合いがほとんど同一であり、それぞれの分岐流路における熱交換量がほぼ同一となって、熱交換器１５全体としての熱交換効率の向上に繋げられる
ク　上記イの「室内送風機を構成する送風ファンである横流ファン１６」及び上記カの「熱交換空気は、吸込口１３ａ，１３ｂから導入されて熱交換器１５に導かれ、・・・吹出し口１８より被空調室に吹出される」によれば、横流ファン１６は吸込口１３ａ，１３ｂから吹出し口１８に至る導通路に熱交換空気を導通させるものであり、導通路内に熱交換空気流を発生させるものといえる。
　
　これら記載事項及び図示内容を総合し、本願補正発明の記載ぶりに則って整理すると、引用例には、次の発明（以下、「引用発明」という。）が記載されている。  
　 
「吸込口１３ａ，１３ｂから吹出し口１８に至る導通路に設けられ熱交換パイプ２１を導通する冷媒と熱交換空気との間で熱交換を行う前面側熱交換器１５Ｂと後面側熱交換器１５Ａとからなる熱交換器１５と、前記導通路内に熱交換空気流を発生させる横流ファン１６とを備え、前記前面側熱交換器１５Ｂの２段目部ｂの風上列Ｕに冷房運転時の冷媒の流れ方向における冷媒導入部２４を配置するとともに、熱交換パイプ２１は後面側熱交換器１５Ａに設けられた３方ベンド２７により第１の分岐流路３０と第２の分岐流路３３とに分流され、前記冷媒導入部２４から３方ベンド２７までの熱交換パイプ２１を前記前面側熱交換器１５Ｂ風上列Ｕ及び後面側熱交換器１５Ａ風上列Ｕに配管し、前記後面側熱交換器１５Ａにて冷媒を分流する空気調和機本体。」
　
　また、上記カの「
分岐部２７の設定部分における熱交換空気の風速が均一であるほど、より均等に冷媒を分流する
風速の強弱があり、ここに分岐部を設定すると、均等に冷媒を分流し難い
長手方向に沿って風速はほぼ均一であり
冷媒を均等に分流することができる
　
「熱交換パイプの分岐部２７における熱交換空気の風速が均一であるほど、より均等に冷媒を分流することができ、分岐部２７を風速がほぼ均一な部分に設ければ、冷媒を均等に分流することができること。」
  
４．対比  
　本願補正発明と引用発明とを対比すると、各文言の意味、機能または作用等からみて、後者の「吸込口１３ａ，１３ｂ」は、前者の「吸込口」に相当し、同様に、「吹出し口１８」は「吹出口」に、「導通路」は「風路」に、「熱交換パイプ２１」は「伝熱管」に、「導通する」は「流れる」に、「熱交換空気」は「室内空気」に、「前面側熱交換器１５Ｂ」は「前面側熱交換器」に、「後面側熱交換器１５Ａ」は「背面側熱交換器」に、「熱交換器１５」は「室内側熱交換器」に、「熱交換空気流」は「空気流」に、「横流ファン１６」は「ファン」に、「冷媒導入部２４」は「伝熱管入口」に、「空気調和機本体」は「空気調和装置」にそれぞれ相当する。
　そして、後者において「前記前面側熱交換器１５Ｂの２段目部ｂの風上列Ｕに冷房運転時の冷媒の流れ方向における冷媒導入部２４を配置する」ことは、前者の「前記抵抗体を通過した空気が流入する前記前面側熱交換器風上側のみに冷房運転時の冷媒の流れ方向における伝熱管入口を配置する」ことと、「前面側熱交換器風上側に冷房運転時の冷媒の流れ方向における伝熱管入口を配置」することで共通する。
　また、熱交換パイプ２１は前面側熱交換器１５Ｂから後面側熱交換器１５Ａまで連通するものであるから、後者の「熱交換パイプ２１は後面側熱交換器１５Ａに設けられた３方ベンド２７により第１の分岐流路３０と第２の分岐流路３３とに分流され、前記冷媒導入部２４から３方ベンド２７までの熱交換パイプ２１を前記前面側熱交換器１５Ｂ風上列Ｕ及び後面側熱交換器１５Ａ風上列Ｕに配管し、前記後面側熱交換器１５Ａにて冷媒を分流する」ことは、前者の「前記前面側熱交換器の伝熱管は途中複数方向に冷媒を分流する配管とし、前記伝熱管入口から冷媒を分流するまでの伝熱管を前記抵抗体を通過した空気が流入する前記前面側熱交換器風上側に配管し、前記抵抗体を通過しない空気が流入する前記熱交換器部分にて冷媒を分流する」ことと、「伝熱管は途中複数方向に冷媒を分流する配管」である点で共通する。
　
　そこで、本願補正発明の用語を用いて表現すると、両者は次の点で一致する。  
（一致点）  
「吸込口から吹出口に至る風路に設けられ伝熱管を流れる冷媒と室内空気との間で熱交換を行う前面側熱交換器と背面側熱交換器とからなる室内側熱交換器と、前記風路内に空気流を発生させるファンとを備え、前記前面側熱交換器風上側に冷房運転時の冷媒の流れ方向における伝熱管入口を配置するとともに、伝熱管は途中複数方向に冷媒を分流する配管である空気調和装置。」  
　
　そして、両者は次の点で相違する。（対応する引用発明の用語を（　）内に示す。） 
（相違点１）
　本願補正発明は、風路内の前面側熱交換器上流にて圧力損失抵抗となる着脱可能な構成の抵抗体を備えており、前記抵抗体を通過した空気が流入する前記前面側熱交換器風上側のみに冷房運転時の冷媒の流れ方向における伝熱管入口を配置するのに対し、引用発明は、抵抗体を備えておらず、前面側熱交換器（前面側熱交換器１５Ｂ）の２段目部ｂの風上列Ｕに冷房運転時の冷媒の流れ方向における伝熱管入口（冷媒導入部２４）を配置する点。
　
（相違点２）
　伝熱管の冷媒を分流する配管について、本願補正発明は、前面側熱交換器の伝熱管は途中複数方向に冷媒を分流する配管とし、前記伝熱管入口から冷媒を分流するまでの伝熱管を前記抵抗体を通過した空気が流入する前記前面側熱交換器風上側に配管し、前記抵抗体を通過しない空気が流入する前記熱交換器部分にて冷媒を分流するのに対し、引用発明は伝熱管（熱交換パイプ２１）は背面側熱交換器（後面側熱交換器１５Ａ）に設けられた３方ベンド２７により第１の分岐流路３０と第２の分岐流路３３とに分流され、伝熱管入口（冷媒導入部２４）から３方ベンド２７までの伝熱管（熱交換パイプ２１）を前面側熱交換器風上側（前面側熱交換器１５Ｂ風上列Ｕ）及び背面側熱交換器風上側（後面側熱交換器１５Ａ風上列Ｕ）に配管し、背面側熱交換器（前記後面側熱交換器１５Ａ）にて冷媒を分流する点。
　
５．相違点の判断  
（相違点１について）
　空気調和機において、空気清浄フィルターのような圧力損失抵抗となる着脱可能な構成の抵抗体を前面側熱交換器の風上側の上方の空間に配置することは周知技術（特開平９−１４６８４号公報（空気清浄用フィルタ１６）、特開平７−１４５９９３号公報（空気清浄集塵手段２３）、特開平５−１２６３５５号公報（空気清浄フィルター１３）、特開平３−１６０２２９号公報（空気清浄フィルター８））であり、また、引用発明は伝熱管入口を、前面側熱交換器（前面側熱交換器１５Ｂ）の２段目部ｂの風上列Ｕ、すなわち、前面側熱交換器の風上側の上方に配置するものであるところ、空気清浄フィルターのような抵抗体を配置するものにおいて、その抵抗体は上記のように前面側熱交換器の風上側の上方の空間に配置されることが普通であって、かつ、冷媒の流れ方向における伝熱管入口を抵抗体を通過した空気が流入する前面側熱交換器風上側に配置することも特別な配置ではない（前記特開平５−１２６３５５号公報（空気清浄フィルター１３と冷媒供給の分岐管４の配置を参照。）、前記特開平３−１６０２２９号公報（空気清浄フィルター８と冷媒パイプ１４の配置を参照。）以上、相違点１に係る発明特定事項とすることは、当業者が容易に想到し得たことと言わざるをえない。
　
（相違点２について）
　熱交換器の伝熱管は、熱交換効率の向上を考慮して配管されるものであり、分岐部を設けることも効率を考慮してなされることである。また、引用例の記載事項キのとおり分岐部のある伝熱管は分流後の流路について熱交換量を同一とするように配管すべきものである。そして、引用例の記載事項（熱交換パイプの分岐部２７における熱交換空気の風速が均一であるほど、より均等に冷媒を分流することができ、分岐部２７を風速がほぼ均一な部分に設ければ、冷媒を均等に分流することができること。）によれば、伝熱管の分岐部は、風速の強弱のない部分に配置することが求められるものであるから、圧力損失抵抗となる着脱可能な構成の抵抗体を設けるものにおいては、伝熱管の分岐部を抵抗体により風速が変化する恐れのある部分を避けて配置することも当然考慮すべき事項である。
　してみると、引用発明の伝熱管入口（冷媒導入部２４）から３方ベンド２７までの伝熱管（熱交換パイプ２１）を前面側熱交換器風上側（前面側熱交換器１５Ｂ風上列Ｕ）及び背面側熱交換器風上側（後面側熱交換器１５Ａ風上列Ｕ）に配管して、後面側熱交換器で冷媒を分流するものに代えて、前面側熱交換器で冷媒を分流するものとして、相違点２に係る発明特定事項である、前面側熱交換器の伝熱管は途中複数方向に冷媒を分流する配管とし、前記伝熱管入口から冷媒を分流するまでの伝熱管を前記抵抗体を通過した空気が流入する前記前面側熱交換器風上側に配管し、前記抵抗体を通過しない空気が流入する前記熱交換器部分にて冷媒を分流することは、当業者が引用例の記載事項及び熱交換効率を考慮して容易に想到し得たことである。
　
　そして、本願補正発明による効果も、引用発明、引用例に記載の事項及び周知技術から当業者が予測し得た程度のものであって、格別のものでもない。 
　
　したがって、本願補正発明は、引用発明、引用例に記載の事項及び周知技術に基いて、当業者が容易に発明をすることができたものであるから、特許法第２９条第２項の規定により、特許出願の際独立して特許を受けることができない。  
　  
６．むすび  
　以上のとおり、本件補正は、改正前の特許法第１７条の２第５項において準用する同法第１２６条第５項の規定に違反するので、同法第１５９条第１項において読み替えて準用する同法第５３条第１項の規定により却下すべきものである。  
　  
第３　本願発明
　本件補正は、上記のとおり却下されたので、本願の請求項１に係る発明（以下、同項記載の発明を、「本願発明」という）は、平成２０年６月１２日付けの手続補正書により補正された特許請求の範囲の請求項１に記載された事項により特定される、以下のとおりのものである。  
　「吸込口から吹出口に至る風路に設けられ伝熱管を流れる冷媒と室内空気との間で熱交換を行う前面側熱交換器と背面側熱交換器とからなる室内側熱交換器と、前記風路内に空気流を発生させるファンと、前記風路内の前記前面側熱交換器上流にて圧力損失抵抗となる着脱可能な構成の抵抗体とを備え、前記抵抗体を通過した空気が流入する前記前面側熱交換器風上側のみに冷房運転時の冷媒の流れ方向における伝熱管入口を配置したことを特徴とする空気調和装置。」  
　  
第４　引用例の記載事項  
　原査定の拒絶の理由に引用された引用例及びその記載事項は、前記「第２　３．」に記載したとおりである。
　
第５　対比・判断
　本願発明は、本願補正発明の「前面側熱交換器の伝熱管」についての限定事項である「前記前面側熱交換器の伝熱管は途中複数方向に冷媒を分流する配管とし、前記伝熱管入口から冷媒を分流するまでの伝熱管を前記抵抗体を通過した空気が流入する前記前面側熱交換器風上側に配管し、前記抵抗体を通過しない空気が流入する前記熱交換器部分にて冷媒を分流する」を省いたものである。
　そうすると、本願発明の発明特定事項をすべて含み、さらに、限定したものに相当する本願補正発明が、前記「第２　５．」に記載したとおり、引用発明、引用例に記載の事項及び周知技術に基いて、当業者が容易に発明をすることができたものであるから、本願発明も、同様に、引用発明、引用例に記載の事項及び周知技術に基いて、当業者が容易に発明をすることができたものである。
  
第６　むすび  
　以上のとおり、本願発明は、引用発明、引用例に記載の事項及び周知技術に基いて、当業者が容易に発明をすることができたものであるから、特許法第２９条第２項の規定により、特許を受けることができない。  
　したがって、本願は、他の請求項について検討するまでもなく、拒絶すべきものである。  
　よって、結論のとおり審決する。